(57)【要約】【課題】ユーザが携帯用音楽プレイヤーで常に聴いている楽曲を、カラオケ装置の予約曲として簡単に設定する。【解決手段】携帯用音楽プレイヤーの再生曲リストからリクエスト曲リストを作成し、カラオケ装置に記憶されたカラオケ曲リストと曲目ＩＤを照合する。一致する曲目ＩＤを抽出して予約曲リストを作成し、再生曲リストの再生回数に応じて予約曲リストの曲順を並べ換える（ソート）。これにより、ユーザが気に入っている曲か、カラオケで歌いたいと思って良く聞いていた曲等を、最初に歌える曲として予約することが可能となる。【選択図】図５
2009204936.tif 000002
【特許請求の範囲】
【請求項１】
予約曲リストに基づいてカラオケ曲を演奏するカラオケ装置において、
複数の楽曲データと楽曲データのリストである再生曲リストが記憶された携帯用メモリと接続する接続手段と、
前記接続された携帯用メモリに記憶されている再生曲リストを取得する再生曲リスト取得手段と、
前記取得した再生曲リストと前記カラオケ装置に記憶されたカラオケ曲のリストに基づき予約曲を検索し予約曲リストとして作成する予約曲リスト作成手段と、を備える
ことを特徴とするカラオケ装置。
【請求項２】
予約曲リストに基づいてカラオケ曲を演奏するカラオケ装置において、
複数の楽曲データが記憶された携帯用メモリと接続する接続手段と、
前記接続された携帯用メモリに記憶されている複数の楽曲データから各楽曲を特定するための情報を抽出し再生曲リストとして作成する再生曲リスト作成手段と、
前記作成した再生曲リストと前記カラオケ装置に記憶されたカラオケ曲のリストに基づき予約曲を検索し予約曲リストとして作成する予約曲リスト作成手段と、を備える
ことを特徴とするカラオケ装置。
【請求項３】
請求項１または２に記載のカラオケ装置において、前記予約曲リスト作成手段は、
入力された検索ワードに基づく楽曲を前記再生曲リストから抽出し、リクエスト曲リストとして作成するリクエスト曲リスト作成手段と、
前記作成したリクエスト曲リストと前記カラオケ装置に記憶されたカラオケ曲を照合し、合致した曲を予約曲として検索し予約曲リストを作成する予約曲リスト作成手段と、を備える
ことを特徴とするカラオケ装置。
【請求項４】
請求項１または２に記載のカラオケ装置において、前記予約曲リスト作成手段は、
前記再生曲リストとカラオケ曲リストを照合し、該再生曲リストに含まれる曲目のうちカラオケ曲リストに存在しない曲目を当該再生曲リストから削除する再生曲リスト修正手段と、
入力された検索ワードに基づく楽曲を前記再生曲リストから予約曲として検索し予約曲リストを作成する予約曲リスト作成手段と、を備える
ことを特徴とするカラオケ装置。
【請求項５】
請求項１から４のいずれかに記載のカラオケ装置において、
前記検索ワードは、前記楽曲データに記憶されている曲目、歌手名、ジャンルのうち少なくとも１つを含む
ことを特徴とするカラオケ装置。
【請求項６】
請求項１から５のいずれかに記載のカラオケ装置において、
前記楽曲データには前記検索ワードを含むＩＤタグデータが付与される
ことを特徴とするカラオケ装置。
【請求項７】
請求項３または４のいずれかに記載のカラオケ装置において、
前記予約曲リスト作成手段で、カラオケ曲に含まれない曲目を非予約曲リストとして作成する非予約曲リスト作成手段を備える
ことを特徴とするカラオケ装置。
【請求項８】
請求項１から７のいずれかに記載のカラオケ装置において、
前記予約曲リスト作成手段で予約曲リストに並べられた予約曲は、歌手名、ジャンル、ダウンロード履歴、再生回数のうち少なくとも１つを含む情報によって並べられた順序を変更する予約曲変更手段を備える
ことを特徴とするカラオケ装置。
【請求項９】
楽曲データと該楽曲データのリストである再生曲リストが記憶された携帯用メモリとカラオケ装置とを接続する接続段階と、
前記携帯用メモリに記憶された再生曲リストを前記カラオケ曲に転送する転送段階と、
前記再生曲リストと前記カラオケ装置に記憶されたカラオケ曲に基づき予約曲を検索する予約曲検索段階と、を備える
ことを特徴とする予約曲検索方法。
【請求項１０】
請求項９記載の予約曲検索方法において、前記予約曲検索段階は、
入力された検索ワードに基づく楽曲を前記再生曲リストから抽出し、リクエスト曲リストとして作成するリクエスト曲リスト作成段階と、
前記リクエスト曲リストと前記カラオケ装置に記憶されたカラオケ曲を照合し、合致した曲について予約曲として検索する予約曲検索段階と、を含む
ことを特徴とする予約曲検索方法。
【発明の詳細な説明】
【技術分野】
【０００１】
本発明は、携帯用音楽プレイヤー中の楽曲の情報に基づいてリストを作成することによりカラオケ装置の予約曲検索を簡単に行うことのできる技術に関する。
【背景技術】
【０００２】
一般に、カラオケ装置に対するリクエスト曲の予約は、楽曲のタイトルや歌手名順に楽曲ＩＤが一覧表示された目次本により楽曲ＩＤを調べ、この楽曲ＩＤをリモコンに登録して無線によりカラオケ装置に送信する方式により行われている。
しかしながら、現在のカラオケ装置では、演奏可能な楽曲は、１万曲以上となっており、所望の楽曲を分厚い目次本から探すことは容易ではなく、特にカラオケボックスでは、時間単位で部屋をレンタルするため、時間を掛けて楽曲を探すことは面倒である。
そこで、カラオケ店に行く前に、歌唱する楽曲（つまり、予約曲）のリストを家庭のパソコンによって作成しておいて、作成した予約曲リストをカラオケ装置に転送することによって、カラオケ装置に予約曲リストを登録する技術が開示されている（特許文献１、参照）。
【特許文献１】特開平９−１９０１９２号公報
【発明の開示】
【発明が解決しようとする課題】
【０００３】
ところが、特許文献１の技術では、カラオケの予約曲リスト作成は自身のパソコン等で行うため、その作業に煩わしさを感じる場合がある。
【０００４】
本発明は、上述した課題に基づいてなされたものであり、本発明の目的は、簡単に予約曲を抽出することができるカラオケ装置および予約曲検索方法を提供することにある。
【課題を解決するための手段】
【０００５】
上述した課題を解決するために、本発明が採用するカラオケ装置は、予約曲リストに基づいてカラオケ曲を演奏するカラオケ装置において、複数の楽曲データと楽曲データのリストである再生曲リストが記憶された携帯用メモリと接続する接続手段と、前記接続された携帯用メモリに記憶されている再生曲リストを取得する再生曲リスト取得手段と、前記取得した再生曲リストと前記カラオケ装置に記憶されたカラオケ曲のリストに基づき予約曲を検索し予約曲リストとして作成する予約曲リスト作成手段と、を備えることを特徴とする。
【０００６】
上述した課題を解決するために、本発明が採用する他のカラオケ装置は、予約曲リストに基づいてカラオケ曲を演奏するカラオケ装置において、複数の楽曲データが記憶された携帯用メモリと接続する接続手段と、前記接続された携帯用メモリに記憶されている複数の楽曲データから各楽曲を特定するための情報を抽出し再生曲リストとして作成する再生曲リスト作成手段と、前記作成した再生曲リストと前記カラオケ装置に記憶されたカラオケ曲のリストに基づき予約曲を検索し予約曲リストとして作成する予約曲リスト作成手段と、を備えることを特徴とする。
【０００７】
上記構成において、前記予約曲リスト作成手段は、入力された検索ワードに基づく楽曲を前記再生曲リストから抽出し、リクエスト曲リストとして作成するリクエスト曲リスト作成手段と、前記作成したリクエスト曲リストと前記カラオケ装置に記憶されたカラオケ曲を照合し、合致した曲を予約曲として検索し予約曲リストを作成する予約曲リスト作成手段と、を備えることが好ましい。
【０００８】
上記構成において、前記予約曲リスト作成手段は、前記再生曲リストとカラオケ曲リストを照合し、該再生曲リストに含まれる曲目のうちカラオケ曲リストに存在しない曲目を当該再生曲リストから削除する再生曲リスト修正手段と、入力された検索ワードに基づく楽曲を前記再生曲リストから予約曲として検索し予約曲リストを作成する予約曲リスト作成手段と、を備えることが好ましい。
【０００９】
上記構成において、前記検索ワードは、前記楽曲データに記憶されている曲目、歌手名、ジャンルのうち少なくとも１つを含むことが好ましい。
【００１０】
上記構成において、前記楽曲データには前記検索ワードを含むＩＤタグデータが付与されることが好ましい。
【００１１】
上記構成において、前記予約曲リスト作成手段で、カラオケ曲に含まれない曲目を非予約曲リストとして作成する非予約曲リスト作成手段を備えることが好ましい。
【００１２】
上記構成において、前記予約曲リスト作成手段で予約曲リストに並べられた予約曲は、歌手名、ジャンル、ダウンロード履歴、再生回数のうち少なくとも１つを含む情報によって並べられた順序を変更する予約曲変更手段を備えることが好ましい。
【００１３】
上述した課題を解決するために、本発明が採用する予約曲検索方法は、楽曲データと該楽曲データのリストである再生曲リストが記憶された携帯用メモリとカラオケ装置とを接続する接続段階と、前記携帯用メモリに記憶された再生曲リストを前記カラオケ曲に転送する転送段階と、前記再生曲リストと前記カラオケ装置に記憶されたカラオケ曲に基づき予約曲を検索する予約曲検索段階と、を備えることを特徴とする。
【００１４】
上記方法において、前記予約曲検索段階は、入力された検索ワードに基づく楽曲を前記再生曲リストから抽出し、リクエスト曲リストとして作成するリクエスト曲リスト作成段階と、前記リクエスト曲リストと前記カラオケ装置に記憶されたカラオケ曲を照合し、合致した曲について予約曲として検索する予約曲検索段階と、を含むことが好ましい。
【発明の効果】
【００１５】
本発明によれば、ユーザが携帯している携帯用音楽プレイヤーの中のメモリに記憶されている楽曲を、カラオケ装置の予約曲として簡単に設定することができる。
【発明を実施するための最良の形態】
【００１６】
［実施形態の構成］
図１は本発明の実施形態に係わるカラオケ装置の外観を示した図である。同図に示したように、カラオケ装置１にはモニタ２、スピーカ３Ｌ、スピーカ３Ｒ、そしてマイク４が接続されている。カラオケ装置１は、リモコン５から送信される赤外線信号により遠隔操作される。さらに、本実施形態におけるカラオケ装置１では、携帯用音楽プレイヤー６等の外部機器に対しても赤外線信号やBluetooth（登録商標）等により近距離無線によって接続される。なお、携帯用音楽プレイヤー６等の外部機器はＵＳＢ等の端子を介して直接カラオケ装置１に接続させてもよい。
【００１７】
図２は、カラオケ装置１のハードウェア構成を示したブロック図である。バス１０１に接続されている各部は、このバス１０１を介して各部間で信号の授受を行う。ＣＰＵ（Central Processing Unit）１０２は、ＲＡＭ（Random Access Memory）１０４をワークエリアとして利用し、ＲＯＭ（Read Only Memory）１０３に格納されている各種プログラムを実行することでカラオケ装置１の各部を制御する。また、カラオケ装置１の表面には各種動作やパラメータを指定する操作部１１２が設けられる。
本実施形態によるカラオケ装置１では、後述する予約曲リスト作成処理（プログラム）が前記ＲＯＭ１０３に格納されている。また、ＲＡＭ１０４には楽曲データを一時記憶する楽曲記憶領域が確保される。さらに、記憶部１０５はハードディスク装置を具備しており、楽曲データ、カラオケ曲リスト、リクエスト曲リスト、予約曲リスト等の各種データを記憶する。
【００１８】
本実施形態においては、カラオケ曲リストとはカラオケ装置１で再生可能なカラオケ曲のリスト、リクエスト曲リストとは予約曲リストを作成するためのリスト、予約曲リストとはカラオケ装置１において再生する曲順を示すリストのことを示し、再生曲リストとは、携帯用音楽プレイヤー６に記憶されている楽曲データのうち、携帯用音楽プレイヤー６における再生順を示すリストのことを示している。
【００１９】
通信部１０８は、楽曲データの配信元であるホストコンピュータ（図示せず）から、例えばインターネットなどの通信ネットワーク（図示せず）を介して楽曲データを受信し、受信した楽曲データをＣＰＵ１０２の制御のもと記憶部１０５へと転送する。
なお、本実施形態においては、楽曲データは予め記憶部１０５に記憶されていても、読み取り装置によりＣＤ−ＲＯＭやＤＶＤ等の各種記録媒体から楽曲データを読み取って記憶部１０５に転送して記憶させるようにしてもよい。
【００２０】
カラオケ装置１におけるカラオケ演奏処理は、以下のように処理される。
ユーザがリモコン５を操作して楽曲を指定する操作を行うと、指定された楽曲の楽曲データがＣＰＵ１０２により記憶部１０５からＲＡＭ１０４の楽曲記憶領域へ転送される。ＣＰＵ１０２は、この楽曲記憶領域に格納された楽曲データに含まれている各種データを順次読み出す。
【００２１】
さらに、ＣＰＵ１０２は、楽曲データに含まれている伴奏データを読み出し、読み出した伴奏データを音源装置１０９へ出力する。音源装置１０９は、供給される伴奏データに基づいて所定の音色の伴奏信号を生成し、生成した伴奏信号を効果用ＤＳＰ１１０へ出力する。効果用ＤＳＰ１１０においては、音源装置１０９から出力された伴奏信号に対してリバーブやエコー等の効果が付与される。効果を付与された伴奏信号は、効果用ＤＳＰ１１０によってＤ／Ａ変換されてアンプ１１１へ出力される。アンプ１１１は、効果用ＤＳＰ１１０から出力された伴奏信号を増幅してスピーカ３Ｌ、３Ｒへ出力する。これにより、曲の伴奏がスピーカ３Ｌ、３Ｒから出力される。
【００２２】
また、楽曲の再生に応じて、ユーザが歌唱すると、ユーザの音声がマイク４に入力され、マイク４から音声信号がアンプ１１１に出力される。そして、曲の伴奏に合わせて音声がスピーカ３Ｌ、３Ｒから出力される。
一方、入力部１０６は、カラオケ装置１にある操作部１１２またはリモコン５への入力操作により発せられる信号を検出し、この検出結果をＣＰＵ１０２へ出力する。表示制御部１０７は、ＣＰＵ１０２の制御のもと映像や歌詞、予約曲リスト等をモニタ２に表示する。
【００２３】
次に、本実施形態のカラオケ装置において用いられる楽曲データの構造について説明する。本実施形態における楽曲データは、付加曲情報となるＩＤタグデータ、カラオケ演奏音の内容を表すＷＡＶＥ形式のデータである伴奏データからなる。この伴奏データは、ＭＩＤＩデータであってもよい。そして、ＩＤタグデータは、楽曲の曲目、歌手名、ジャンル等を含むデータからなる。
【００２４】
一方、カラオケ装置１の記憶部１０５に記憶されたカラオケ曲リストは、記憶される段階で、楽曲データのＩＤタグデータから歌手ＩＤと曲目ＩＤとを抽出し、この歌手ＩＤ毎に曲目ＩＤを括ったものである。具体的には、図５に示すように、歌手ＩＤ「Ａ１１１」に対して曲目ＩＤ「ａ１１１」「ａ１１２」「ａ１１３」「ａ１１５」…が、歌手ＩＤ「Ａ１１２」に対して曲目ＩＤ「ｂ１１１」「ｂ１１２」「ｂ１１３」「ｂ１１４」…が、順次記憶されている。
本実施形態では、便宜上、歌手ＩＤ毎に曲目ＩＤで括ったものをカラオケ曲リストとしたが、ジャンル毎に括ったり、曲目ＩＤを基準に所定数毎に括ったり、或いは括らずにリスト化してもよい。
【００２５】
さらに、携帯用音楽プレイヤー６の記憶部（図示せず）には、ユーザが常に携帯して聴くための楽曲データが記憶される。この楽曲データは、ユーザが自分のパソコンやオーディオ機器等の装置を用いて、お気に入りの曲や歌手を適宜に選択して記憶部に記憶格納する。この際、この記憶部には、記憶された楽曲データを携帯用音楽プレイヤー６で再生する際の再生順を決めるための再生曲リストが作成される。
【００２６】
携帯用音楽プレイヤー６に記憶される楽曲データは、ＩＤタグデータが付加された曲データからなる。このＩＤタグデータには、曲目・曲目ＩＤ・歌手・歌手ＩＤ・ジャンル・ジャンルＩＤ・ダウンロード履歴（日時）・再生回数等が記憶される。楽曲データの形式は非圧縮のＷＡＶＥ形式のデータでも良いし、ＭＰ３、ＡＡＣなどの圧縮オーディオデータであってもよい。
【００２７】
ここで、図３に、８曲の曲順を示す再生曲リストの具体例を示す。
この再生曲リストＰＬは、再生順に、楽曲データのＩＤタグデータから抽出した曲目・曲目ＩＤ、歌手名・歌手ＩＤ、ジャンル・ジャンルＩＤ、ダウンロード履歴（日時）、再生回数の項目が並ぶ。
例えば、１番目の曲には、曲目「○○○」・曲目ＩＤ「ａ１１１」、歌手名「□□□」・歌手ＩＤ「Ａ１１１」、ジャンル「Ｊ−ＰＯＰ」・ジャンルＩＤ「１１」、ダウンロード履歴「20070406」、再生回数「５」が記憶され、２番目の曲には、曲目「○○△」・曲目ＩＤ「ａ１１２」、歌手名「□□□」・歌手ＩＤ「Ａ１１１」、ジャンル「Ｊ−ＰＯＰ」・ジャンルＩＤ「１１」、ダウンロード履歴「20070406」、再生回数「５」が記憶され、同様の形で順次８曲までが記憶される。
曲目、歌手名、ジャンル名をテキストデータとすることにより、携帯用音楽プレイヤー６の表示部には、曲目、歌手名、ジャンル名が表示される。そして、一度作成された再生曲リストＰＬは、各項目のうち再生回数のみが記憶更新されることになる。
【００２８】
［実施形態の動作］
次に、本実施形態の予約曲作成処理について説明する。
本実施形態の特徴は、予約曲リストの作成に、ユーザが常に携帯する携帯用音楽プレイヤー６の再生曲リストを用いる点にある。
【００２９】
まず、ユーザは、予め設定されたカラオケ装置１の操作部１１２或いはリモコン５の操作部（図示せず）の操作により、携帯用音楽プレイヤー６を利用して予約曲リストを作成する処理を行うための設定をカラオケ装置１に指示する。カラオケ装置１では、入力された指示に従って、ＣＰＵ１０２はＲＯＭ１０３から予約曲リスト作成処理のプログラムを読み出す。
【００３０】
一方、ユーザは、携帯用音楽プレイヤー６をカラオケ装置１に接続する。この場合、携帯用音楽プレイヤー６は、各装置の設定により、赤外線信号やBluetooth等により近距離無線によって接続される。携帯用音楽プレイヤー６がカラオケ装置１と接続された段階で、携帯用音楽プレイヤー６に記憶された再生曲リストがカラオケ装置１のＲＡＭ１０４に送信される。
なお、カラオケ装置１と携帯用音楽プレイヤー６との接続は、ＵＳＢ等の端子を介して直接接続するようにしてもよい。さらに、ＵＳＢ等の端子を介してリモコン５と携帯用音楽プレイヤー６とを直接接続し、リモコン５とカラオケ装置１との無線接続を介して携帯用音楽プレイヤー６とカラオケ装置１とを接続するようにしてもよい。
【００３１】
以下、予約曲リスト作成処理の動作について、図４に示すフローチャートに基づいて説明する。
ＣＰＵ１０２は、ユーザに対して再生曲リストから抽出するための検索ワードを促す表示を行い、ユーザはこの表示に従って検索ワードの設定を行う（ステップＳ１）。この場合の表示は、ユーザは、モニタ２に表示された指示に従って操作部１１２を操作して検索ワードを選択する。検索ワードには、歌手名、曲目、ダウンロード日時等があり、ユーザはいずれかを選択することになる。
既に、カラオケ装置１には携帯用音楽プレイヤー６の再生曲リストが転送されているため、モニタ２には、この再生曲リストに記憶されている歌手名を表示させる。これにより、ユーザは再生曲リストに記憶されている歌手名を選択することが可能となる。
本実施形態の場合には、説明の都合上、検索ワード「歌手名」、歌手「□□□」・「□□○」を選択した場合について説明する。
【００３２】
次に、ＣＰＵ１０２は、ＲＡＭ１０４に記憶された再生曲リストから検索ワードに基づいてリクエスト曲リストを作成するステップＳ２以降の処理を行う。
つまり、ＣＰＵ１０２は、設定された検索ワードが「歌手名」の場合には（ステップＳ２；ＹＥＳ）、この歌手名に対応したリクエスト曲リストを作成する（ステップＳ３）。
【００３３】
具体例を図５に示して説明する。
この例では、図３に示す再生曲リストＰＬが予め歌手名「□□□」と「□□○」とに分けて順に並んでいるため、８曲分の再生曲リストからは曲順と曲目ＩＤのみを抽出して８曲分のリクエスト曲リストが作成される。
【００３４】
図４に戻って、ＣＰＵ１０２は、リクエスト曲の曲目ＩＤとカラオケ曲の曲目ＩＤとを照合させる（ステップＳ４）。そして、一致する曲目ＩＤがある場合には予約曲リストに並べ（ステップＳ６）、一致しない曲目ＩＤがある場合には、この一致しない曲目ＩＤにマークを付ける（ステップＳ５）。
【００３５】
図５の具体例では、リクエスト曲の曲目ＩＤ「ａ１１１」「ａ１１２」「ａ１１３」「ａ１１４」「ｂ１１１」「ｂ１１２」「ｂ１１３」「ｂ１１４」が、カラオケ曲リストに有るか否かを照合する。カラオケ曲リストには曲目「ａ１１４」がないので、他の７曲は予約曲リストに並べられ、曲目「ａ１１４」には不一致マークが付加される。
つまり、作成された予約曲リストは、その４番目には曲目名「○△○」：曲目ＩＤ「ａ１１４」が来る筈が、カラオケ曲にないために削除されて５番目の曲目名「△△△」：曲目ＩＤ「ｂ１１１」が繰り上がって４番目に並ぶことになる。
【００３６】
再び、図４に戻り、ＣＰＵ１０２は作成された予約曲リストのソートを行う（ステップＳ７）。本例の場合には、再生回数順に並び換えるというソートを施す。ＣＰＵ１０２は、このソート処理において、再生回数が同じ場合、曲目ＩＤの若いものが上位に位置するように並び換えるようになっている。
つまり、図５に示すように、曲目ＩＤを「ｂ１１１」「ｂ１１２」「ｂ１１３」「ｂ１１４」「ａ１１１」「ａ１１２」「ａ１１３」の順に、再生回数の多い順に並び換える。
【００３７】
また、ステップＳ５にて、マークを付けた一致しない曲目ＩＤは、非予約曲リストとしてＲＡＭ１０４に記憶され、ユーザの指示があった場合には、予約曲リストから削除された再生曲リスト上の曲目を表示させることも可能となる。
【００３８】
一方、ＣＰＵ１０２は、検索ワードが歌手名でない場合には（ステップＳ２；ＮＯ）、ジャンル名であるか否かを判定する（ステップＳ８）。ジャンル名である場合には（ステップＳ８；ＹＥＳ）、ジャンル名からリクエスト曲リストを作成する（ステップＳ９）。
【００３９】
この具体例は省略するが、図５に基づいて説明すれば、ジャンル「Ｊ−ＰＯＰ」が選択された場合には、リクエスト曲リストの１〜４番目がリクエスト曲となる。さらに、カラオケ曲リストとの照合の結果、予約曲リストは曲目ＩＤ「ａ１１１」「ａ１１２」「ａ１１３」の３曲となる。
これにより、予約曲リストの曲は、再生曲リストに記憶されている曲のうち、選択されたジャンルによって抽出される曲となる。
【００４０】
さらに、ＣＰＵ１０２は、検索ワードがジャンル名でない場合には（ステップＳ８；ＮＯ）、ダウンロード日時であると判定する。この際、ＣＰＵ１０２は、ユーザに対して再生曲リストが作成された日時を期間で入力できるように表示で促し、ユーザは、その指示に従ってダウンロード期間を入力することになる。そして、ＣＰＵ１０２は、ダウンロード期間からリクエスト曲リストを作成する（ステップＳ１０）。この具体例は省略する。
これにより、予約曲リストの曲は、再生曲リスト中に記憶されている曲のうち、選択されたダウンロード期間にダウンロードされた曲となり、ユーザ自身が歌手名や曲目等を忘れている場合であっても、自身の思い出等の記憶から予約曲リストを作成することが可能となる。
【００４１】
携帯用音楽プレイヤー６も、メモリ数の増加に伴い、再生曲リストの曲数も増やすことが可能となってきている。このため、再生曲リストにある曲であっても、ユーザが忘れてしまっているような曲もある。ユーザ自身は、漠然と携帯用音楽プレイヤー６にダウンロードした時期を自身のプロフィールとリンクさせて覚えていれば、その曲を歌いたい場合、その時期をダウンロード期間として入力することにより、予約曲リストが作成できる。例えば、自分の卒業時期に流行った歌を歌いたい場合には、卒業時期をダウンロード期間として入力すれば、ユーザの歌いたい曲を予約曲リストに加えることも可能となる。
【００４２】
ＣＰＵ１０２は、ステップＳ８〜Ｓ１０の処理であっても、前述したステップＳ４〜Ｓ７の処理を実行し、この処理を終了する。
【００４３】
以上説明したように、本実施形態によれば、ユーザが通常携帯していて常に聴いている携帯用音楽プレイヤー６の再生曲リストを用いてカラオケ装置１の予約曲リストを作成する。これにより、分厚い目次本から曲目を探すという時間を掛けての作業を行うことなく、ユーザが聞き馴染みのある曲をカラオケ装置１の予約曲リストとして作成することができる。
【００４４】
しかも、携帯用音楽プレイヤー６の再生曲リストとカラオケ装置１の予約曲リストとを関連付けることにより、ユーザが歌える曲、或いは知っている曲のみをカラオケの予約曲にすることができる。
【００４５】
さらに、本実施形態では、一度作成した予約曲リストに対してソートを行って曲順の並べ換えを行っているため、例えば、再生曲リストの再生回数順にソートを行った場合には、ユーザが常に聞いている曲の順に予約曲リストを作成することになる。再生回数が多いということは、ユーザが気に入っている曲か、カラオケで歌いたい曲等である場合が多いため、ユーザがカラオケで真っ先に歌いたい曲を再生曲リストの曲順に関係なく、最初に歌えるように設定することが可能となる。
【００４６】
［変形例］
以上、本発明の実施形態について説明したが、本発明は上述した実施形態に限定されることなく、例えば、上述の実施形態を以下のように変形して本発明を実施してもよい。
【００４７】
上述した実施形態においては、具体例として再生曲リストに８曲が記憶された場合を例に挙げて説明したが、曲数はこれに限定されるものではない。また、図４に示す予約曲リスト作成処理において、検索ワードを「歌手名」「ジャンル名」「ダウンロード期間」として各検索ワード毎に予約曲リストを作成する場合について説明したが、組み合わせて予約曲リストを作成するようにしてもよい。
ソート処理は、再生回数によるソート処理に限らず、追加した曲順、歌手別等によってソート処理を行うようにしてもよい。
【００４８】
さらに、前記実施形態では、携帯用音楽プレイヤー６の再生曲リストからリクエスト曲リストを作成した上で、カラオケ装置１における予約曲リストを作成するものとして述べたが、本発明はこれに限らず、携帯用音楽プレイヤー６の再生曲リストをカラオケ装置に転送した際にカラオケ曲リストと照合し、カラオケ曲リストに含まれない曲を予約曲リストから削除してもよい。これによれば前記実施形態のようにカラオケ曲リストとの照合のためにリクエスト曲リストを作成する必要がなくなる。
【００４９】
また、携帯用プレイヤー６が記憶している楽曲データに関する再生曲リストを記憶していない場合には、携帯用音楽プレイヤー６に記憶された楽曲データのＩＤタグをカラオケ装置１が読み取って再生曲リストを作成してもよい。
【００５０】
前記実施形態では、カラオケ装置１の予約曲リストを作成させるためのデータを、携帯用音楽プレイヤー６の再生曲リストとしたが、本発明はこれに限らず、携帯用メモリの機能を備えるＵＳＢメモリ、携帯電話、デジタルカメラに記憶された楽曲データ等であってもよい。
また、再生曲リストのＩＤと、カラオケ装置１におけるＩＤとが同期していない場合には、各ＩＤを変換するテーブルを用いて同期させた上で、上記処理を行うようにしてもよい。
【００５１】
前記実施形態では、予約曲リスト作成処理は、カラオケ装置１内で処理するように説明したが、本発明はこれに限らず、リモコン５、携帯用音楽プレイヤー６或いはインターネットを介して接続されるホストコンピュータ等で処理を実行するようにしてもよい。
【００５２】
前記実施形態では、検索ワードをユーザが選択するものとして述べたが、予め設定しておいてもよい。例えば、検索ワードを曲目とした場合には、携帯用音楽プレイヤー６に記憶されている再生曲リストの曲目ＩＤからカラオケ装置１に記憶されたカラオケ曲のＩＤとを照合させて予約曲リストを作成する。また、携帯用音楽プレイヤー６の再生曲リストの曲目数が比較的多数の場合には、予約曲リストの曲目数を制限して照合させるようにしてもよい。
【図面の簡単な説明】
【００５３】
【図１】本発明の実施形態に係るカラオケ装置の外観図である。
【図２】同カラオケ装置のハードウェア構成を示したブロック図である。
【図３】同実施形態における再生曲リストを例示した図である。
【図４】予約曲リスト作成処理を示す流れ図である。
【図５】予約曲リスト作成処理の具体例を示す図である。
【符号の説明】
【００５４】
１・・・カラオケ装置、２・・・モニタ、３Ｌ，３Ｒ・・・スピーカ、４・・・マイク、５・・・リモコン、６・・・携帯用音楽プレイヤー、１０１・・・バス、１０２・・・ＣＰＵ、１０３・・・ＲＯＭ、１０４・・・ＲＡＭ、１０５・・・記憶部、１０６・・・入力部、１０７・・・表示制御部、１０８・・・通信部、１０９・・・音源装置、１１０・・・効果用ＤＳＰ、１１１・・・アンプ、１１２・・・操作部
【図１】
2009204936.tif 000003
【図２】
2009204936.tif 000004
【図３】
2009204936.tif 000005
【図４】
2009204936.tif 000006
【図５】
2009204936.tif 000007